(57)【要約】      （修正有）【課題】連結すべき二枚の壁パネルの隙間の下方や奥側に、床やバックガードなどがなくても、コーキングを充填する際にコーキングの流れ止めを可能とする、二枚の壁パネルを連結する連結材を提供する。【解決手段】二枚の壁パネル６に渡って壁パネル６の背面に嵌合し、壁パネル６同士を連結する連結材１において、連結材１において、壁パネル６間に位置する箇所が、壁パネル６とは逆方向に凹んで凹部２４が形成されており、この凹部２４の下端部が折り曲げられた状態で、壁パネル６と略垂直であって壁パネル６の方向に延びる舌部２６を備え、この舌部２６によって、二枚の壁パネル６の間に充填されたコーキング３５を受けて流れ止めする。【選択図】図３
2017145657.tif 000002
【特許請求の範囲】
【請求項１】
二枚の壁パネルに渡って壁パネルの背面に嵌合し、壁パネル同士を連結する連結材において、連結材の壁パネル間に位置する下端部に、壁パネルと略垂直であって壁パネル方向に延びる舌部を備えることを特徴とする連結材。                                    
【請求項２】
請求項１に記載の連結材において、連結材の壁パネル間に位置する箇所が壁パネルとは逆方向に凹んで凹部が形成されており、凹部の下端部に舌部が形成されていることを特徴とする連結材。
【請求項３】
請求項２に記載の連結材において、凹部の下端部が折り曲げられた状態で舌部が形成されていることを特徴とする連結材。
【請求項４】
請求項１から３のいずれかに記載の連結材において、連結材はドア上に設置される壁パネルであるドア上パネルと壁パネルを連結する連結材であることを特徴とする連結材。
【発明の詳細な説明】
【技術分野】
【０００１】
本発明は、壁パネル同士を互いに連結する連結材に関し、特に、浴室などにおいて、漏水防止手段が適用される壁パネル同士を連結する連結材に関するものである。
【背景技術】
【０００２】
従来、二枚の壁パネルを互いに連結する連結材として、二枚の壁パネルおよび連結材の一方に、首部および大径の先端頭部からなる突起部を設け、他方に縦長孔および大孔からなる係合孔を設け、突起部を係合孔に係合する構成は、公知である（特許文献１、２参照）。
【０００３】
また、浴室におけるドアの上に取り付けられる欄間パネル（ドア上パネル）の取付構造について次のような構造が知られている。欄間パネルと壁パネルの連結部に補強材をそれぞれ取り付け、両補強材に対して上下方向 の位置決めが可能な第１係合部と第２係合部を有する連結部材を両補強材に係合させることにより、欄間パネルを壁パネルに取り付ける構造が知られている（特許文献２参照）。
【０００４】
ドアと直角又は一直線になる壁パネルに、壁パネルの高さよりドア上パネルの高さ分だけ短いドア横コーナーアングル又はドア横フラットアングルを 床面に接するように付ける構成が知られている（特許文献４参照）。
【０００５】
ドア上壁パネルの背面の両側端部に係合孔の形成された連結部を設け、浴室壁パネルに突設されたパネル受け部に先端が膨大部となった係合突部を突設し、係合突部を係合孔に係合することで、ドア上壁パネルを浴室壁パネルに取り付ける構成が知られている（特許文献５参照）。
【０００６】
ところで、図７は、浴室の壁パネル５０の床周りの従来の防水構造を示している。この防水構造では、２つの壁パネル５０の連結部の隙間５１には防水のために、図７（ａ）、（ｂ）に示すように、止水モール５２が挿入され、さらに、床５５上であってバックガード５６の浴室から見て手前側（図７（ｃ）参照）には、コーキング５７が充填されている。
【先行技術文献】
【特許文献】
【０００７】
【特許文献１】特許第２６２７３９４号公報
【特許文献２】特許第５０９２４４１号公報
【特許文献３】特開２００４−０１１２２１号公報
【特許文献４】特開２００９−１１４６９２号公報
【特許文献５】特開２００９−２６３９９３号公報
【発明の概要】
【発明が解決しようとする課題】
【０００８】
上記図７に示す浴室の壁パネル５０の床周りの従来の止水構造では、止水モール５２のヒレ５３の隙間に入った水は下方に流れ、コーキング５７でせき止められて、それ以上、下方およびバックガード５７側に向かって奥に侵入することなく、漏水を防ぐ構造となっている。
【０００９】
浴室の壁パネル５０の床周りでは、バックガード５６が設けられているので、コーキング５７を充填する際に、コーキング５７は、床５５、バックガード５６および壁パネル５０の両側端内に封じ込められ、外部へ流れ出るようなことはない。
【００１０】
しかしながら、例えば、壁パネル５０とドア上パネルの連結部では、床５５およびバックガード５６がないので、コーキング５７を充填する際に、コーキング５７は下方などへ流出し、充填しにくいという問題が生じる。
【００１１】
本発明は、上記従来の問題を解決することを目的とするものであり、連結する２つのパネルの隙間の下方や奥側に、床やバックガードなどがなくても、コーキング充填の際にコーキングの流れ止めを可能とする連結材を実現することを課題とする。
【課題を解決するための手段】
【００１２】
本発明は、上記課題を解決するために、二枚の壁パネルに渡って壁パネルの背面に嵌合し、壁パネル同士を連結する連結材において、連結材の壁パネル間に位置する下端部に、壁パネルと略垂直であって壁パネル方向に延びる舌部を備えることを特徴とする連結材を提供する。  
【００１３】
連結材の壁パネル間に位置する箇所が壁パネルとは逆方向に凹んで凹部が形成されており、凹部の下端部に舌部が形成されていることが好ましい。
【００１４】
凹部の下端部が折り曲げられた状態で舌部が形成されていることが好ましい。
【００１５】
連結材はドア上に設置される壁パネルであるドア上パネルと壁パネルを連結する連結材であることが好ましい。
【発明の効果】
【００１６】
二枚の壁パネル同士を連結する連結材の壁パネル間に位置する下端部に、壁パネルと略垂直であって壁パネル方向に延びる舌部を備えることで、壁パネル間の下端にコーキングを十分に充填することができ、漏水のリスクを減らすことができる。
【図面の簡単な説明】
【００１７】
【図１】（ａ）は本発明に係る連結材を適用する浴室の一部を示し、ドア、ドア上パネルおよび壁パネルの構成を示す斜視図であり、（ｂ）は本発明に係る連結材の実施例１を説明する図であって、ドア上パネルと壁パネルを連結材で連結した状態について、壁パネルの一部（２点鎖線で示す部分）を説明の都合上、破断した斜視図である。
【図２】（ａ）は上記実施例１の連結材で連結されるドア上パネルと壁パネルの互いに連結される側端部の構成を説明する斜視図であり、（ｂ）は（ａ）のＢ−Ｂ断面図である。
【図３】上記実施例１の連結材によって、ドア上パネルと壁パネルを互いに連結した構成を示す図であり、（ａ）は連結状態を背面側から見た斜視図であり、（ｃ）は（ａ）の水平断面図である。
【図４】上記実施例１の連結材の構成を説明する図であり、（ａ）は斜視図であり、（ｂ）は平面図である。
【図５】本発明に係る連結材の実施例２の構成を説明する図であり、（ａ）は斜視図であり、（ｂ）平面図である。
【図６】上記実施例２の連結材で直角に連結するドア上パネルと壁パネルを連結する前の図であり、（ｂ）は連結した状態を示す水平断面図である。
【図７】従来の止水構造の例を説明する図であり、（ａ）は浴室の床周りの止水構造を説明する斜視図であり、（ｂ）は止水構造の要部を説明する図であり、（ｃ）は床周りの壁パネルの設置状態を説明する図である。
【発明を実施するための形態】
【００１８】
本発明に係る連結材を実施するための形態を実施例に基づき図面を参照して、以下説明する。
【実施例】
【００１９】
（実施例１）
本発明に係る連結材の実施例１を図１〜図４において説明する。本発明に係る連結材は、互いに隣接する二枚の壁パネル同士を連結する部材であり、本実施例１では、図１（ａ）に示すように、連結材１が連結する二枚の壁パネルのうち、１枚の壁パネルは、浴室のドア２の上に設けられるドア上パネル３とし、他の１枚の壁パネルは、床から天井まで延び室内壁を構成する通常の壁パネル６（本実施例１では単に「壁パネル６」と言う）として、説明する。
【００２０】
実施例１では、上記のとおり、浴室のドア上パネル３と壁パネル６の連結材１について説明するが、本実施例１の説明において、浴室内から見て外側を背面側と言い、内側を表面側と言う。
【００２１】
図１（ａ）に示すように、ドア２はドア枠７内で開閉可能に設けられており、ドア枠７の上に、壁パネル６より上下方向の寸法が小さいドア上パネル３が載置されている。本実施例１では、ドア上パネル３は、その両側の一方は壁パネル６と平面部用の連結材１によって直線的に連結され、他方は他の壁パネル６と、後記する実施例２の角部用の連結材４１と直角に連結されている。
【００２２】
図２（ａ）、（ｂ）は、ドア上パネル３と壁パネル６を直線的に配置した状態を示し、壁パネル６とドア上パネル３は、上下方向の寸法は異なるが、その構造は互いにほぼ同じ構成であるので、ここでは、ドア上パネル３を中心にその構成を説明する。
【００２３】
ドア上パネル３は、図２（ａ）、（ｂ）に示すように、芯となる補強材１０と、表面材１１と、表面材１１の左右端部における背面側に設けられた縦桟１２と、を備えている。補強材１０は、例えば、石膏ボードなどの材料が使用され、その表面側が表面材１１で覆われている。
【００２４】
表面材１１は、金属製の薄板からなり、その表面に塩化ビニルなどの薄膜が塗布され、防錆性、耐水性、耐蝕性を有するように処理されている。図２（ａ）、（ｂ）に示すように、表面材１１には、側端部において背面側に縦桟１２に沿って断面が略コの字状になるように折り曲げられた、折り曲げ部１３が形成されている。
【００２５】
縦桟１２は、断面略角パイプ状に形成されており、その背壁１５には連結材嵌合用のスリット１７が形成されている。このスリット１７は、太幅部１８と細幅部１９とから構成されている。縦桟１２は、表面材１１の折り曲げ部１３に挟持され、その背面に設けられたダボ（図示せず）を表面材１１に形成されたダボ孔（図示せず）に係合させてなる固定部２０で固定されている。
【００２６】
以上のような構成の互いに隣接する壁パネル６とドア上パネル３は、図２（ａ）、（ｂ）に示すように、同一垂直面内に直線的に配置され、図３（ａ）、（ｂ）に示すように連結材１を介して接続される。
【００２７】
連結材１は、金属材が、図４（ａ）、（ｂ）に示すような形状に折り曲げられて形成される。即ち、連結材１は、左右の当接部２３と、左右の当接部２３の間の凹部２４と、左右の折り返し部２５と、凹部２４の下端に形成された舌部２６と、を備えている。
【００２８】
凹部２４は、左右の当接部２３から背面側（壁パネルとは逆方向。ドア上パネル３と壁パネル６の連結した構造では、ドア上パネル３と壁パネル６とは逆方向に相当する）に向けて凹んだ構成である。
【００２９】
左右の折り返し部２５は、左右の当接部２３のそれぞれに対して、横幅方向外側において、表面側（壁パネル方向。ドア上パネル３と壁パネル６の連結した構造では、ドア上パネル３と壁パネル６の方向に相当する）に向けて折り曲げられて形成されている。
【００３０】
舌部２６は、連結材１において、壁パネル６とドア上パネル３を連結した際に、壁パネル６とドア上パネル３の間に位置する下端部に、壁パネル６とドア上パネル３に略垂直であって表面側（壁パネル方向。ドア上パネル３と壁パネル６の連結した構造では、ドア上パネル３と壁パネル６の方向に相当する）に向けて延びるように形成されている。
【００３１】
本実施例１では、舌部２６は、凹部２４の下端部から表面側（壁パネル６とドア上パネル３の連結した構造における壁パネル６方向に相当する）に向けて、略水平に折り曲げられて延びるように、形成されている。舌部２６は、その先端が、図４（ａ）、（ｂ）に示すように、当接部２３の表面側の位置と略同じになるように形成されている。
【００３２】
左右の当接部２３の表面には、図４（ａ）、（ｂ）に示すように、それぞれ表面側に突出した突起部２９が設けられている。この突起部２９は当接部２３に固定された首部３０と、首部３０を介して前方に向けてテーパ状に拡大する大径部３１とから形成されている。
【００３３】
突起部２９の大径部３１の最大直径は、スリット１７の太幅部１８の幅より小さく、細幅部１９の幅より大きく形成されている。突起部の首部３０は、スリット１７の細幅部１９の幅より小さく形成されている。
【００３４】
（作用）
以上の構成からなる連結材１の作用を、ドア上パネル３と壁パネル６の連結に使用した場合の作用などについて以下説明する。
【００３５】
図２（ａ）、（ｂ）に示すように、互いに隣接するドア上パネル３と壁パネル６を連結材１で連結する場合は、連結材１の左右の突起部２９の大径部３１を、縦桟１２のスリット１７の太幅部１８からスリット１７内に差し込み、連結材１を下方に移動して突起部２９の大径部３１を細幅部１９に嵌合させる。折り返し部２５は、補強材１０と縦桟１２の隙間に挿入する。
【００３６】
すると、ドア上パネル３と壁パネル６は、それぞれ縦桟１２が連結材１の左右の当接部２３に当接し、縦桟１２のスリット１７の細幅部１９に連結材１の左右の突起部２９が抜けないように嵌合することで、図３（ａ）、（ｂ）に示すように、それぞれ連結材１に固定され、互いに連結材１を介して接続された状態となる。
【００３７】
図１（ｂ）は、ドア上パネル３と壁パネル６を連結材１で連結した状態について、壁パネル６の一部（２点鎖線で示す部分）を説明の都合上、破断した図であるが、この図で示すように、連結材１の下端に形成された舌部２６が、ドア上パネル３と壁パネル６の隙間の下方において表面側に延びるように構成されている。
【００３８】
ドア上パネル３と壁パネル６を連結材１で連結してから、連結材１の下部であって舌部２６の上方において、ドア上パネル３と壁パネル６の隙間から凹部２４内にかけてコーキング３５を充填する（図３（ｂ）参照）。さらに、図３（ａ）、（ｂ）に示すように、ドア上パネル３と壁パネル６の隙間内に止水モール３４を挿入する。
【００３９】
ドア上パネル３と壁パネル６の隙間から凹部２４内にかけて充填されたコーキング３５は、時間が経過すると硬化するが、充填した直後は流動的であるので下方に流動する。しかし、舌部２６で下方から受け止めることで、コーキング３５は下方に流れ出ることが阻止される。
【００４０】
コーキング３５は、ドア上パネル３と壁パネル６の隙間から凹部２４内にかけて、止水モール３４の下部における両側に存在することとなる。これによって、図７（ｂ）に示す従来例の場合と同様に、ドア上パネル３と壁パネル６の隙間内に侵入し止水モール３４のヒレ３６に入った水は、流下しても、コーキング３５によってせき止められ、止水効果が生じる。この結果、浴室内の水が、ドア上パネル３と壁パネル６の隙間から外側に漏水するリスクを減らすことができる。
【００４１】
なお、実施例１の連結材１は、上記のとおりドア上パネル３と壁パネル６の連結構造に適用したが、このような連結構造に限られることはない。即ち、互いに隣接する二枚の壁パネル６のうち、片方の壁パネル６の下端は床面の上方に位置し、床面に接するようなこともなく、かつ図７（ｃ）に示すようなバックガードもない構成の場合についても、連結材１の凹部２４の下端に舌部２６を設けることで、コーキング３５を下方に流動することなく、保持することが可能となる。
【００４２】
例えば、ユニットバスにおいて、互いに隣接する二枚の壁パネル６のうち、片方の壁パネル６は、その下方には浴槽パンがなく付設装置の設置部として使用され、しかも片方の壁パネル６の下端が床面の上方に位置し、バックガードもないような構成について、二枚の壁パネル６の連結材１の凹部２４の下端に舌部２６を設けることで、コーキング３５を下方に流動することなく、保持することが可能となる。
【００４３】
（実施例２）
本発明に係る連結材の実施例２を図５、図６において説明する。実施例２の連結材４１は、互いに直交する壁パネルを連結する部材であり、ここでは、浴室におけるドア上パネル３と壁パネル６が互いに直交して連結する構成（図１（ａ）参照）について説明する。
【００４４】
実施例２の連結材４１で連結されるドア上パネル３と壁パネル６は、図１（ａ）、図６（ａ）、（ｂ）に示すように互いに直交して配置されているが、ドア上パネル３と壁パネル６自体の構成は、それぞれ実施例１における構成と同じである。
【００４５】
実施例２の連結材４１は、実施例１の連結材１と比較して、図５（ａ）、（ｂ）に示すように、左右の当接部４２が互いに直交する構成である点で相違するが、他の構成については同じであるので、同じ構成については同じ符号を使用する。
【００４６】
特に、実施例２の連結材４１においても、実施例１の連結材１と同様に、凹部２４の下端から表面側に水平に延びる舌部２６が折り曲げられるようにして形成されている。
【００４７】
実施例２の連結材４１で連結されたドア上パネル３と壁パネル６の連結構造は、図６（ｂ）に示すように、ドア上パネル３と壁パネル６が互いに直交して連結されている構成以外は、実施例１の連結材１を使用したドア上パネル３と壁パネル６が互いに連結する連結構造と略同じである。
【００４８】
実施例２の連結材４１を適用した連結構造においても、実施例１と同様に、ドア上パネル３と壁パネル６の隙間および凹部２４の舌部２６の上方に、図６（ｂ）に示すように、コーキング３５が充填され、さらにドア上パネル３と壁パネル６の隙間に表面側から止水モール３４が挿入される。
【００４９】
コーキング３５は、充填された直後に、下方に流下しても舌部２６で受け止められて下方に流れ出ることはない。従って、実施例２についても、ドア上パネル３と壁パネル６の隙間および凹部２４の舌部２６の上方において、コーキング３５と止水モール３４によって、止水される。
【００５０】
以上、本発明に係る連結材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
本発明に係る連結材は上記のような構成であるから、浴室におけるドア上パネルと壁パネルの連結、その他の建築構造物における隣接する壁パネルの連結などにおいて、少なくとも一方の壁パネルの下端が床面より上方にありバックガードのない場合であっても、止水性の要求される、各用途のパネルの連結構造に有用である。
【符号の説明】
【００５２】
１  連結材                                         
２  ドア                                           
３  ドア上パネル                                   
６  壁パネル                                       
７  ドア枠                                         
１０  補強材                                       
１１  表面材                                       
１２  縦桟                                         
１３  縦桟の折り曲げ部                                   
１５  縦桟の背壁                                   
１７  縦桟のスリット                               
１８  スリットの太幅部                                 
１９  スリットの細幅部                                 
２０  固定部                                       
２３  連結材の当接部                               
２４  連結材の凹部                                 
２５  連結材の折り返し部                           
２６  連結材の舌部                                 
２９  連結材の突起部                               
３０  突起部の首部                                 
３１  突起部の大径部                               
３４  止水モール                                   
３５  コーキング                                   
３６  止水モールのヒレ                             
４１  連結材                                       
４２  連結材の当接部                                 
５０  壁パネル                                     
５１  連結部の隙間                                 
５２  止水モール                                   
５３  止水モールのヒレ                             
５５  床                                           
５６  バックガード                                 
５７  コーキング                                   
【図１】
2017145657.tif 000003
【図２】
2017145657.tif 000004
【図３】
2017145657.tif 000005
【図４】
2017145657.tif 000006
【図５】
2017145657.tif 000007
【図６】
2017145657.tif 000008
【図７】
2017145657.tif 000009